(57)【要約】【課題】底板と該底板と異なった材料で作られる装飾板を持ち、且つ取り付けが確実な装飾盆を提供する。【解決手段】側枠板３に形成されたスリット溝Ｓに底板２が嵌入されてなる矩形状の盆であって、前記底板２に形成される切り欠き部Ｋに装飾板１が取り付けられる装飾盆。また、装飾板１の一部が底板２の切り欠き部Ｋの端面に形成される段部２１に支持され、且つ前記装飾板１の残りの部分がスリット溝Ｓに嵌入されることで取り付けられる装飾盆。また、底板２の切り欠き部Ｋの端面に形成された段部２１に、装飾板１に形成された段部１１が支持される装飾盆。【選択図】図１
0003124416.tif 000002
【実用新案登録請求の範囲】
【請求項１】
側枠板に形成されたスリット溝に底板が嵌入されてなる矩形状の盆であって、前記底板に形成される切り欠き部に装飾板が取り付けられていることを特徴とする装飾盆。
【請求項２】
前記装飾板の一部が前記底板の切り欠き部端面に形成される段部に支持され、且つ前記装飾板の残りの部分が前記スリット溝に嵌入されることで取り付けられることを特徴とする請求項１記載の装飾盆。
【請求項３】
前記装飾板と前記底板の表面とが面一であることを特徴とする請求項２記載の装飾盆。
【請求項４】
前記底板の切り欠き部端面に形成された段部に、前記装飾板に形成された段部が支持されることを特徴とする請求項１記載の装飾盆。
【請求項５】
前記装飾板と前記底板の表面とが面一であることを特徴とする請求項４記載の装飾盆。
【請求項６】
前記装飾板が前記底板の少なくとも一つの角部に備わっていることを特徴とする請求項１記載の装飾盆。
【請求項７】
前記装飾板が三角形であることを特徴とする請求項６記載の装飾盆。
【考案の詳細な説明】
【技術分野】
【０００１】
本考案は、ものを載せる盆に関し、更に詳しくは装飾板が取り付けられた装飾盆に関する。  
【背景技術】
【０００２】
従来から、食事等において、盆が使用されている。盆にも種々のものがあるが、底板と側枠板を有する盆は安全であり、ものを載せて運ぶような場合は、傾いても滑らず極めて便利である。
【０００３】
このような盆には、装飾性を付与したものが多くある。例えば、盆の底板表面に絵柄を塗装により付与したものがあるが（特許文献１）、しかし塗装による装飾は、一般に装飾性に限度があるうえ、塗装面が剥げ落ち易い。
【０００４】
一方、底板の表面の一部に装飾体である貝殻等を埋め込んだもの、いわゆる螺鈿（らでん）があるが、あくまでも底板の表面に趣向を凝らしたものに過ぎず、やはり剥がれ易い欠点がある。
【０００５】
特に光が通過する、いわゆる透光性に優れた明るい装飾板を設けようとする場合は、底板が木製であると不可能である。
このように底板の材質自体に装飾を付与するには、装飾性に限度があることから、底板と異なった材料の板を使った装飾板が求められていた。
【０００６】
そのため、底板の例えば適宜の位置をくり抜きそこに装飾板を嵌め込んで接着剤で固めたものが提案されている。
これは装飾板と底板との突き合わせ面（平面）を接着剤で接合しているが、使用するうちに接着剤が取れたりして、装飾板に力が加わると装飾板が底板本体から外れ落ち易く、取り付けとしては必ずしも確実でない。  
【特許文献１】特開平６−８００００号公報
【考案の開示】
【考案が解決しようとする課題】
【０００７】
本考案はかかる実情を背景になされたものである。
すなわち、本考案の目的は、底板と該底板と異なった材料で作られる装飾板を持ち、且つ取り付けが確実な装飾盆を提供することである。
【課題を解決するための手段】
【０００８】
以上のような背景に対して本考案者は鋭意工夫を重ねた結果、盆の側枠板に形成されたスリット溝と底板の切り欠き部端面に形成された段部とを利用してそこに装飾板を取り付けることにより、従来の問題点を解決できることを見出し、その知見に基づき本考案を完成させたものである。
【０００９】
即ち、本考案は（１）、側枠板に形成されたスリット溝に底板が嵌入されてなる矩形状の盆であって、前記底板に形成される切り欠き部に装飾板が取り付けられている装飾盆に存する。
【００１０】
そしてまた（２）、前記装飾板の一部が前記底板の切り欠き部端面に形成される段部に支持され、且つ前記装飾板の残りの部分が前記スリット溝に嵌入されることで取り付けられる上記（１）記載の装飾盆に存する。
【００１１】
そしてまた（３）、前記装飾板と前記底板の表面とが面一である上記（２）記載の装飾盆に存する。
【００１２】
そしてまた（４）、前記底板の切り欠き部端面に形成された段部に、前記装飾板に形成された段部が支持される上記（１）記載の装飾盆に存する。
【００１３】
そしてまた（５）、前記装飾板と前記底板の表面とが面一である上記（４）記載の装飾盆に存する。
【００１４】
そしてまた（６）、前記装飾板が前記底板の少なくとも一つの角部に備わっている上記（１）記載の装飾盆に存する。
【００１５】
そしてまた（７）、前記装飾板が三角形である上記（６）記載の装飾盆に存する。
なお本考案の目的に添ったものであれば上記（１）〜（７）までの考案を適宜組み合わせた構成も採用可能である。
【考案の効果】
【００１６】
本考案の装飾盆によれば、側枠板に形成されたスリット溝に底板が嵌入されてなる矩形状の盆であって、底板の切り欠き部に装飾板が取り付けられているので、底板とは異なった板を使った装飾が可能である。
装飾板は底板の切り欠き部端面に形成された段部に一部を支持され、且つ残りの部分がスリット溝に嵌入されることで取り付けられるので、底板に装飾板が安定した状態で確実に固定される。
【００１７】
また底板の切り欠き部端面に形成された段部に、装飾板に形成された段部が支持されているので、同様に底板に装飾板が安定した状態で確実に固定される。
また装飾板と底板の表面とが面一であるので、装飾盆にものを載せた場合、引っ掛かるようなことがない。
【考案を実施するための最良の形態】
【００１８】
（第１の実施形態）
以下、図面に基づき考案の実施における最適な例を示す。
図１は、装飾盆を示した斜視図である。
装飾盆Ａは矩形状であって、矩形状の底板２と４つの側枠板３とを備えており、底板２は側枠板３に形成されたスリット溝Ｓに嵌入される。そして底板２の一つの角部（隅部）には、装飾板１が備わっている。装飾板１は底板２に形成された切り欠き部Ｋをあたかも埋めるように取り付けられている。
【００１９】
図に示すように、装飾板１は三角形をしており、その一つの辺は（すなわち、底辺部）は底板２に支持される。
また残りの２つの辺は側枠板３のスリット溝Ｓに嵌入される。
底板２の角部は切断されて、装飾板１と同形の切り欠き部Ｋが形成される。
【００２０】
ところで、装飾板１は底板２に確実に支持されなければならない。そのために、底板２には段部２１が形成される。そして、底板２の厚さよりも薄い装飾板１を使う場合、側枠板３のスリット溝Ｓの深さは、装飾板１の厚さに相当するように形成される。
【００２１】
図２は、装飾板１の取り付け状態を示す図であり、（Ａ）は底板２及び装飾板１のＸ−Ｘ断面を示し、（Ｂ）は底板２の段部２１及び装飾板１の寸法関係を示す。
図３は底板２の段部２１と装飾板１との関係を示す図である。
ここでは、段部２１の深さＨを装飾板１の厚さＭに等しくする。
【００２２】
底板２の段部２１の深さＨを装飾板１の厚さＭに等しくすることで、装飾板１が底板２に支持されても、装飾板１と底板２との表面は面一となる。このように装飾板１の表面が底板２と面一となることで、装飾盆Ａに茶碗等を載せた場合にも、茶碗等が引っ掛かることがない。
【００２３】
装飾盆Ａを上方から見た場合、段部２１が形成されているので、装飾板１と底板２との継ぎ目に貫通した隙間が生じない。
因みに、従来のように装飾板１と底板２とを平面で突き合わせると、両者間に隙間が生じ易い。
【００２４】
装飾板１の厚さＭが底板２の厚さＮに近くなると、底板２の段部２１の厚さが薄くなり支持力が落ちる。このような場合は、装飾板１にも段部１１を形成することが好ましい。
【００２５】
図４は、装飾板１の取り付け状態を示す図であり、（Ａ）は底板２及び装飾板１のＸ−Ｘ断面を示し、（Ｂ）は底板２の段部２１及び装飾板１の寸法関係を示す。
図５は底板２の段部２１と装飾板１の関係を示す図である。
【００２６】
ここでは、装飾板１の厚さＭが底板２の厚さＮと同じの場合を示す。装飾板１における段部１１の厚みＬと段部１１の深さＨとを同一とした。
同様に底板２においても段部２１の厚みＬと段部２１の深さＨとを同一とした。そのため底板２と装飾板１の表面は面一となる。
【００２７】
ここで装飾板１としては、例えばプラスチック板、セラミック板等が用いられる。
特にプラスチック板は、押出成形、射出成形、圧縮成形等により製造される。また、プラスチック板は成形される際に、特殊な装飾性を付与する事ができる。
【００２８】
プラスチック板は透光性を有するため、装飾板１の材質にプラスチック板が用いられると、本考案の装飾盆Ａには明るい装飾が付与される。
またプラスチック板は一般に撓みやすい材質であるが、プラスチック板を装飾板１として用いても、側枠板３のスリット溝Ｓと底板２の段部２１とが装飾板１を支えるために、該装飾板１の上にものを載せても、曲がらず常に真っ直ぐに支持される。
【００２９】
装飾板１は種々のものが採用されるが、図６は、装飾板１の変形例を概略的に示した断面図である。
（Ａ）は、装飾板１を透明にしたものであり、盆を通して透けて見える。
（Ｂ）は、装飾板１に鱗片等の装飾粉Ｐを含有させたもので、視認する方向により輝面の反射が異なって特有の装飾性を付与できる。
（Ｃ）は、装飾板１の表面をダイヤカットしたもので、高貴な輝きを醸し出すことができる。
（Ｄ）は、布帛Ｆが装飾板１に埋め込まれた装飾板１を示す。この場合は、布帛Ｆの風合い模様が発現されて奥深い装飾性が得られる。
【００３０】
装飾板１は、上記（Ａ）乃至（Ｂ）の組み合わせや、その他の変形例も当然可能である。さて本考案の装飾盆Ａは、底板２の切り欠き部Ｋに装飾板１を同時に組み付けることで製造される。
【００３１】
次にその組み付け方法を説明する。
（組み付け方法１）
図７は、前述した図１の装飾盆Ａの組み付け方法を説明する図である。
考案の装飾盆Ａを組み付けるには、矩形の底板２と矩形の側枠板３を４つ用意する。
【００３２】
底板２はその角部を切断して３角形の切り欠き部Ｋを設けるが、装飾板１も切り欠き部Ｋの形の大きさに相当する３角形とする。
それぞれの側枠板３にスリット溝Ｓを形成しておき、スリット溝Ｓの幅は、底板２の厚みとする。
【００３３】
組み付けの際は、装飾板１の１辺を底板２の切り欠き部Ｋに当てがって全体的に矩形の底板２状態とし、この状態で底板２の周りから矢印方向に４つの側枠板３を嵌め込む。
【００３４】
スリットに底板２を嵌め込むには、底板２の厚さをスリット溝Ｓの幅より僅かに大きくしておき、圧入するとよい。なお接着剤を介するとより強固な固定ができる。
【００３５】
（組み付け方法２）
図８は、前述した図１の装飾盆Ａの別の組み付け方法を説明する図である。
上記組み付け方法１と同じように、矩形の底板２と矩形の側枠板３を４つ用意する。
【００３６】
それぞれの側枠板３にスリット溝Ｓを形成しておき、スリット溝Ｓの幅は、底板２の厚みとする。
底板２に四方から側枠板３を当てがい、スリット溝Ｓにまず底板２を嵌合させる。これで１つの隅部が空所（底板２の切り欠き部Ｋに相当）となった装飾盆Ａができる。
【００３７】
次に、図の矢印に示すように、この底板２の隅にある空所に中央側から装飾板１を差し込む。差し込む際は、底板２を押すと、装飾板１の２つの辺が側枠板３に沿って案内され側枠板３のスリット溝Ｓに入り込む。最後に装飾板１を更に強く押すと、底板２の段部２１に装飾板１が嵌り込んで支持される。
【００３８】
装飾板１に段部１１が形成されている場合は、底板２の段部２１に装飾板１の段部１１が嵌り込んで支持される。上述の操作は、プラスチック板は多少の撓み性があるので比較的容易に行われる。この場合、接着剤を使う。
【００３９】
この場合も底板２の厚みを僅かにスリットの幅より大きくしておき圧入したり、或いは、接着剤を使うことでより確実に固定することができる。
【００４０】
さて、装飾板１の取り付け位置は種々あるが、次にそのいくつかの例を挙げる。
（第２の実施形態）                  
図９は、装飾板１が、底板２の対向する２つの隅に備わっている場合である。装飾板１を含む底板２の取り付けは、先述した第１の実施形態に準じて行うとよい。
【００４１】
（第３の実施形態）
図１０は装飾板１が対向する２つの隅に備わっており、各装飾板１は、三角形で、しかも両者は異なる大きさの装飾板１である。
【００４２】
（第４の実施形態）
図１１は、装飾板１が、矩形であり底板２の対向する２つの隅に備わっている場合である。この場合、装飾板１の２つの辺が側枠板３の２つのスリット溝Ｓに嵌入され、且つ他の２つの辺が底板２の２つの段部２１（切り欠き部Ｋの２つの辺）に支持される。
【００４３】
（第５の実施形態）
図１２は、装飾板１が、矩形と該矩形と異なった三角形であり底板２の対向する２つの隅に備わっている場合である。
【００４４】
以上、本考案を説明したが、本考案は上述した実施の形態に限定されることなく、その目的に沿う限り変更が可能である。
例えば、装飾板１は、側枠板３のスリット溝Ｓや底板２の段部２１に支持されるものであれば、取り付けできる。盆の隅部がより好ましいが、それ以外でも可能である。
【図面の簡単な説明】
【００４５】
【図１】図１は、装飾盆を示した斜視図である。
【図２】図２は、装飾板の取り付け状態を示す図であり、（Ａ）は底板及び装飾板のＸ−Ｘ断面を示し、（Ｂ）は底板の段部及び装飾板の寸法関係を示す。
【図３】図３は底板の段部及び装飾板の関係を示す図である。
【図４】は、装飾板の取り付け状態を示す図であり、（Ａ）は底板及び装飾板のＸ−Ｘ断面を示し、（Ｂ）は底板の段部及び装飾板の寸法関係を示す。
【図５】図５は底板の段部及び装飾板の関係を示す図である。
【図６】図６は、装飾板の変形例を概略的に示した断面図である。
【図７】図７は、組み付け方法の例を説明する図である。
【図８】図８は、組み付け方法の他の例を説明する図である。
【図９】図９は、第２の実施形態を示す。
【図１０】図１０は、第３の実施形態を示す。
【図１１】図１１は、第４の実施形態を示す。
【図１２】図１２は、第５の実施形態を示す。
【符号の説明】
【００４６】
１  装飾板 
１１  段部
２  底板  
２１  段部
３  側枠板
Ｆ  布帛
Ｋ  切り欠き部
Ｈ  段部の深さ
Ｌ  段部の厚さ
Ｎ  底板の厚さ
Ｍ  装飾板の厚さ
Ｐ  鱗片
Ｓ  スリット溝
【図１】
0003124416.tif 000003
【図２】
0003124416.tif 000004
【図３】
0003124416.tif 000005
【図４】
0003124416.tif 000006
【図５】
0003124416.tif 000007
【図６】
0003124416.tif 000008
【図７】
0003124416.tif 000009
【図８】
0003124416.tif 000010
【図９】
0003124416.tif 000011
【図１０】
0003124416.tif 000012
【図１１】
0003124416.tif 000013
【図１２】
0003124416.tif 000014